(57)【要約】      （修正有）【課題】より効果的に皮膚の深部に美容有効成分を浸透させる。【解決手段】イオン導入用キットが、回転可能なローラ５からなる電極部を有するイオン導入器１と、所定の形状に成形され皮膚の所定部位に密着可能に構成したフェイスシートとからなり、フェイスシートが皮膚の所定部位に密着させて当該部位を覆った状態で、電流を流して帯電させたローラ５をフェイスシート上で回転させるよう構成される。美容有効成分（ビタミンＣ）を予め塗布した皮膚の所定部位を含水させたフェイスシートで覆った状態で、ローラ５を回転させることにより、イオン化した美容有効成分を皮膚の中に導入する。また、皮膚の所定部位を含水させたフェイスシートで覆った状態で、ローラ５をフェイスシート上で回転させることにより皮膚を帯電させ、イオン化した皮膚上の除去対象物が皮膚の外に導出される。【選択図】図１
0003134795.tif 000002
【実用新案登録請求の範囲】
【請求項１】
回転可能なローラからなる電極部を有するイオン導入器と、
所定の形状に成形され皮膚の所定部位に密着可能に構成したシート材とからなるイオン導入用キットであって、
前記シート材を前記所定部位に密着させて当該部位を覆った状態で、前記電極部に電流を流して帯電させた前記ローラを前記シート材上で回転させるよう構成されたイオン導入用キット。
【請求項２】
美容有効成分を予め塗布した皮膚の所定部位を含水させた前記シート材で覆った状態で、前記ローラを前記シート材上で回転させることにより前記美容有効成分をイオン化して、このイオン化した美容有効成分を皮膚の中に導入することを特徴とする請求項１に記載のイオン導入用キット。
【請求項３】
皮膚の所定部位を含水させた前記シート材で覆った状態で、前記ローラを前記シート材上で回転させることにより皮膚を帯電させ、この帯電した皮膚上の除去対象物が皮膚の外に導出されることを特徴とする請求項１に記載のイオン導入用キット。
【請求項４】
皮膚の所定部位を美容有効成分を含浸させた前記シート材で覆った状態で、前記ローラを前記シート材上で回転させることにより前記美容有効成分をイオン化して、このイオン化した美容有効成分を皮膚の中に導入することを特徴とする請求項１に記載のイオン導入用キット。
【請求項５】
前記イオン導入器が、前記ローラに電気的に接続された制御基板と、
前記ローラ及び前記制御基板を収容するカバー部材とを有することを特徴とする請求項１から４のいずれか１項に記載のイオン導入用キット。
【請求項６】
前記ローラが、前記制御基板に取り付けられた支持部材により回転可能に支持されることを特徴とする請求項５に記載のイオン導入用キット。
【請求項７】
前記カバー部材の左右両側面の一部が凹形に湾曲していることを特徴とする請求項５又は６に記載のイオン導入用キット。
【請求項８】
前記カバー部材に、前記制御基板に接続されて前記制御基板に電力を供給する電池を収容可能な電池収容部が形成されていることを特徴とする請求項５から７のいずれか１項に記載のイオン導入用キット。
【請求項９】
前記カバー部材が、互いに嵌合可能な上部カバー部材と下部カバー部材とで構成され、
前記ローラ及び前記制御基板が、前記上部カバー部材と前記下部カバー部材とにより挟持されることを特徴とする請求項５から８のいずれか１項に記載のイオン導入用キット。
【請求項１０】
前記制御基板にアース電極が取り付けられていることを特徴とする請求項５から９のいずれか１項に記載のイオン導入用キット。
【請求項１１】
前記シート材に、目もと用の左右の切込部と、鼻用の切込部と、口もと用の孔部と、顎用の左右の切込部とが設けられ、
前記シート材が顔の皮膚に密着可能であることを特徴とする請求項１から１０のいずれか１項に記載のイオン導入用キット。
【考案の詳細な説明】
【技術分野】
【０００１】
本考案は、人の皮膚表面に電極を介して微弱電流を流すことで、皮膚の健康状態や滑らかさ等を改善することを目的とした電子式美顔器等のイオン導入器を有するイオン導入用キットに関するものである。
【背景技術】
【０００２】
従来、この種の器具として、器具に設けられた電極を介して微弱な直流電流、あるいは断続的なインパルス電流を流す形式のものが知られている（特許文献１参照）。例えば、ビタミンＣを含有する美容有効成分を塗布した後に、このような器具を皮膚に接触させることによって、美容有効成分がイオン化し、器具の電極と反発して皮膚の深部へ浸透し易くなる。また、同電荷のイオン同士が引き合うことを利用して、洗顔などで落とし切れない皮膚表面の埃、汚れなどを導出可能である。
【特許文献１】特開２００６−１４１４９３号公報
【考案の開示】
【考案が解決しようとする課題】
【０００３】
上記のようなイオン導入器を使用する場合、通常は、上記のように美容有効成分を配合した化粧品を皮膚表面に塗布し、その上からイオン導入器の電極を直接皮膚表面に接触させる方法が取られている。
【０００４】
このような方法では、以下のような問題点がある。すなわち、イオン導入器を使用中に、皮膚に塗布した美容有効成分を配合した化粧品（特に化粧水、美容液など粘性が低いもの）が乾いてしまい、化粧品を繰り返し皮膚に塗布し直す必要がある。また、乾きにくい粘性の高い水溶性ジェルを用いる場合もあるが、使用可能な化粧品は限られていること、及び、このような水溶性ジェルは乾きにくいため使用後に拭き取りや洗顔の必要がある。さらに、顔の表面といった凹凸の多い皮膚にイオン導入器を使用する場合、イオン導入器を皮膚に広い範囲で密着させることが難しく、皮膚の深部に美容有効成分が浸透するのが断続的になり、イオン導入器の使用により発揮される効果が損なわれてしまう。
【０００５】
上記のような課題に鑑みて、本考案は、より効果的に皮膚の深部に美容有効成分を浸透させることのできるイオン導入用キットを提供することを目的とする。
【課題を解決するための手段】
【０００６】
前記課題を解決するために本考案に係るイオン導入用キットは、回転可能なローラからなる電極部を有するイオン導入器と、所定の形状に成形され皮膚の所定部位に密着可能に構成したシート材（例えば、実施形態におけるフェイスシート１０１）とからなるイオン導入用キットであって、シート材を所定部位に密着させて当該部位を覆った状態で、電極部に電流を流して帯電させたローラをシート材上で回転させるよう構成されている。
【０００７】
また、上記構成のイオン導入用キットにおいて、美容有効成分（例えば、ビタミンＣ）を予め塗布した皮膚の所定部位を含水させたシート材で覆った状態で、ローラをシート材上で回転させることにより美容有効成分をイオン化して、このイオン化した美容有効成分を皮膚の中に導入するのが好ましい。
【０００８】
また、上記構成のイオン導入用キットにおいて、皮膚の所定部位を含水させたシート材で覆った状態で、ローラをシート材上で回転させることにより皮膚を帯電させ、この帯電した皮膚上の除去対象物（汚れ、垢、老廃物等）が皮膚の外に導出されるのが好ましい。
【０００９】
さらに、上記構成のイオン導入用キットにおいて、皮膚の所定部位を美容有効成分（例えば、ビタミンＣ）を含浸させたシート材で覆った状態で、ローラをシート材上で回転させることにより美容有効成分をイオン化して、このイオン化した美容有効成分を皮膚の中に導入してもよい。
【００１０】
また、上記構成のイオン導入用キットにおいて、イオン導入器が、ローラに電気的に接続された制御基板と、ローラ及び制御基板を収容するカバー部材（例えば、実施形態における上部カバー２及び下部カバー３）とを有するのが好ましい。
【００１１】
さらに、上記構成のイオン導入用キットにおいて、ローラが、制御基板に取り付けられた支持部材（例えば、実施形態におけるアーム１４）により回転可能に支持されるのが好ましい。
【００１２】
また、上記構成のイオン導入用キットにおいて、カバー部材の左右両側面の一部が凹形に湾曲しているのが好ましい。
【００１３】
さらに、上記構成のイオン導入用キットにおいて、カバー部材に、制御基板に接続されて制御基板に電力を供給する電池を収容可能な電池収納部が形成されているのが好ましい。
【００１４】
また、上記構成のイオン導入用キットにおいて、カバー部材が、互いに嵌合可能な上部カバー部材と下部カバー部材とで構成され、ローラ及び制御基板が、上部カバー部材と下部カバー部材とにより挟持されるのが好ましい。
【００１５】
さらに、上記構成のイオン導入用キットにおいて、制御基板にアース電極が取り付けられているのが好ましい。
【００１６】
また、上記構成のイオン導入用キットにおいて、シート材に、目もと用の左右の切込部と、鼻用の切込部と、口もと用の孔部と、顎用の左右の切込部とが設けられ、シート材が顔の皮膚に密着可能であるのが好ましい。
【考案の効果】
【００１７】
本考案のイオン導入用キットを構成するイオン導入器によれば、美容有効成分を配合した化粧水や、美容液を含浸させた布や紙製のシート材で皮膚を覆い、あるいは皮膚に美容有効成分を配合した化粧水や美容液を塗布してその上をシート材で覆い、その上からイオン導入器を使用する。これにより、化粧水、美容液といった化粧品の水分が皮膚表面から蒸発するのを遅らせ、化粧品を繰り返し皮膚に塗布し直す必要がない。すなわち、イオン導入器を使用する場合の利便性が向上する。また、シート材で顔の皮膚を覆うことで、イオン導入器が皮膚に密着し易くなり、凹凸の多い部分であっても広い範囲に渡って美容有効成分を浸透させることができるという利点がある。このようにして、イオン導入器の使用による効果を十分に発揮することが可能である。さらに、シート材の使用により、乾き易い粘性の低い化粧品を用いることができるため、使用者に対して多種多様な化粧品の選択の機会を提供することが可能である。イオン導入器の形状は、使用者の手に合うように、カバー部材の左右両側面の一部が凹形に湾曲しているような形状なため、持ち易く使い易いものになっている。
【考案を実施するための最良の形態】
【００１８】
ここで、図面を参照して本考案に係るイオン導入用キット及について説明する。以下で説明する前後、左右、上下の位置関係は、図５に図示している矢印方向に従って説明する。
【００１９】
イオン導入用キットは、以下に詳細に説明するイオン導入器１とフェイスシート１０１とを有して構成される。イオン導入器１及びフェイスシート１０１からなるイオン導入用キットを用いれば、まとめて持ち運び可能であるため、旅行などの場合に携帯するのに便利である。
【００２０】
イオン導入器１は、互いに嵌め合わせ可能な上部カバー２及び下部カバー３と、上部及び下部カバー２，３を嵌め合わせた状態で上部及び下部カバー２，３に挟持され、電源である充電池５０から電力の供給を受けて所定の周波数のパルス電流を出力する板状の制御基板４と、制御基板４の前部に電気的に接続され制御基板４から出力されたパルス電流が流れるローラ５とを有して構成される。
【００２１】
イオン導入器１は、後部が丸みを帯びて全体として平面視略Ｕ字状であるが、長手方向の中部の幅が小さくなっており、ちょうど縊れた形状を成している。このような形状とするため、上部カバー２の左右側面は、いずれもその一部が凹状に湾曲して幅が小さくなるよう縊れている。下部カバー３の左右側面も、同様にしていずれもその一部が凹状に湾曲して幅が小さくなるよう縊れている。さらに、制御基板４は、上部及び下部カバー２，３の形状に合わせるようにして一部幅が小さくなっており、上部及び下部カバー２，３に合わせて挟持されるようになっている。このようなイオン導入器１に形状により、使用者が持ち易く使い勝手がよいものになっている。
【００２２】
また、イオン導入器１は、側面視略Ｌ字状を成していて、その前端側が全体として下方に延びている。ローラ５は、ちょうどイオン導入器１が下方に延びた先端に位置している。イオン導入器１の具体的な寸法は、その長さが、約１１０ｍｍで、最大の横幅が、約５０ｍｍで、最大の厚さ（前端部）が、約４０ｍｍである。しかしながら、イオン導入器１は、必ずしもこのような寸法に限られるわけではない。
【００２３】
上部カバー３の上面の前部には、使用者が操作する平坦な操作パネル９が設けられている。操作パネル９には、円形の押しボタン式スイッチ１０及び同じく押しボタン式スイッチ１１が取り付けられている。スイッチ１０は、イオン導入器１を動作させるためのＯＮ／ＯＦＦスイッチである。このスイッチ１０がＯＮの状態でさらにスイッチ１０を押すと、スイッチ１０を押す毎にイオンクレンジングモードとイオンケア（導入）モードとを交互に設定することができる。スイッチ１１は、レベルスイッチ１１である。このスイッチ１１を押すと、ローラ５に出力されるパルス電流の強弱等を設定することができる。
【００２４】
上部カバー２は、その後部上面が凹んで充電池（充電式リチウムイオン電池）５０を収容可能な平面視矩形状の電池収容部１２が形成されている。電池カバー１３は、充電池５０を電池収容部１２に装入した状態で、充電池５０を覆うようにして上部カバー２に取付可能である。制御基板４には、イオン導入器１を制御するための電力がこの充電池５０から供給される。また、制御基板４の左右両側面には、制御基板４が上部及び下部カバー２，３に挟持されたときに上部及び下部カバー２，３の湾曲した部分に合わせるように、アース電極６，６が設置されている。アース電極６，６は、ＡＢＳ樹脂の表面にクロームメッキ処理が施されたものから成る。制御基板４の後端部には、充電用コネクタ７（ＤＣソケット）が設けられている。充電用コネクタ７には、図示しないＡＣアダプタに繋がるケーブルを装着可能であり、充電池５０の充電時に使用する。
【００２５】
制御基板４の前部からは、その左右両端を基端として、導電性のアーム１４，１４が前方且つ斜め下方にそれぞれ延びている。ローラ５は、アーム１４，１４の先端部の間を左右横方向に渡された図示しない回転軸を回転中心として、回転自在である。すなわち、ローラ５は、アーム１４，１４により回転可能に支持されている。制御基板４からローラ５に出力されるパルス電流は、これらアーム１４，１４を介して伝送される。ローラ５は、直径約１９ｍｍの円柱状をなし、ステンレス鋼（ＳＵＳ３０４）を材質として、その表面にはサンドブラストで表面処理が施されている。
【００２６】
制御基板４には複数の電子部品が実装され、これらが回路により電気的に接続されている。制御基板４は、実装されたこれら電子部品により、図１４に示すように、制御部４ａと、複数の発光ダイオード８，８，・・・と、パルス出力部４ｂと、ブザー４ｃとを有して構成される。制御部４ａは、スイッチ１０から入力される電源ＯＮの入力信号に基づいて、発光ダイオード８，８，・・・と、パルス出力部４ｂと、ブザー４ｃとを制御する。
【００２７】
発光ダイオード８，８，・・・は、制御部４ａから出力された制御信号（発光用制御信号）に基づいて所定の色に発光する。パルス出力部４ｂは、制御部４ａから出力された制御信号（電極用制御信号）に基づいて所定の周波数（約１５００Ｈｚ）からなるパルス電流（振幅は１ｍＡ以下）をローラ５に出力する。パルス出力部４ｂが出力するパルス電流には２種類のモードがあり、皮膚の深部に蓄積している皮脂や埃等を除去するイオンクレンジングモードと、皮膚の深部にイオン化したビタミンＣといった化粧水等の美容有効成分を浸透させるイオンケア（導入）モードとがある。イオンクレンジングモードの場合には、所定の周波数の正のパルス電流をローラ５に流すことで、ローラ５を正に帯電させる。一方、イオンケアモードの場合には、所定の周波数の負のパルス電流をローラ５に流すことで、ローラ５を負に帯電させる。
【００２８】
ブザー４ｃは、制御部４ａから出力された制御信号（ブザー用制御信号）に応じて作動する。ブザー４ｃは、スイッチ１０，１１の動作時やイオン導入器１の動作停止時に作動するよう制御されるほか、使用者が所定時間を超えてイオン導入器１を使用した場合に警告音として鳴らすこともできる。
【００２９】
発光ダイオード８（以下「ＬＥＤ８」と称する）は、制御基板４上に計６個設けられている。ＬＥＤ８は、電源のＯＮ／ＯＦＦを示す１個の電源ＬＥＤ８と、上記の２種類のモードのうち、現在どのモードにあるのかを示す２個のモード表示ＬＥＤ８，８と、パルス電流の出力とブザー４ｃの振動の強弱を示す２個のレベルＬＥＤ８，８と、イオン導入器１の充電中を表示する１個の充電ＬＥＤ８とからなる。そして、制御部４ａは、使用者がＬＥＤの光の色により２つのモードのいずれかを判別できるように、各モード毎に異なる色のモード表示ＬＥＤが発光するよう制御する。また、レベルＬＥＤ８，８は、パルス電流の出力等の強弱に応じて異なるレベルＬＥＤが発光するよう制御される。
【００３０】
使用者がイオン導入器１を操作するためのスイッチは、上記のように、ＯＮ／ＯＦＦスイッチ１０以外にレベルスイッチ１１がある。レベルスイッチ１１は、切り換えにより、パルス出力部４ｂから出力されるパルス電流の強弱を選択したり、ブザー４ｃの強弱を選択するものである。
【００３１】
次に、図面に基づいて本考案に係るフェイスシートの実施例を説明する。図１３は本考案に係るフェイスシートを示している。このフェイスシート１０１は吸水性を有する不織を型抜きしてシート材として用いた顔の肌に使用可能なフェイスシートである。このフェイスシート１０１には、目もと用の左右の切込部１０２，１０２と、鼻用の切込部１０３と、口もと用の孔部１０４と、顎用の左右の切込部１０５，１０５とが設けられている。
【００３２】
フェイスシート１０１の具体的な寸法は、以下の通りである。まず、その横幅寸法が約２１０ｍｍ，縦方向の寸法が約２００ｍｍである。また、切込部１０２，１０２の長さは、それぞれ約５０ｍｍで、その両端部に形成されている曲線部分の曲率半径は約１５ｍｍである。切込部１０３の最大幅は、約５０ｍｍで、その縦方向の長さは、約３０ｍｍである。孔部１０４の横方向の長さは、約６０ｍｍで、その縦方向の最大長さは、約１０ｍｍである。さらに、切込部１０５，１０５の長さは、それぞれ約３０ｍｍである。なお、以上の寸法は、あくまでも一例であって、必ずしもこのような長さに限らない。また、フェイスシート１０１を顔以外の部分に用いる場合には、このような切込部を設けなくてもよい。
【００３３】
フェイスシート１０１の上記のような構成により、フェイスシート１０１の装着時に利用者の顔の肌にフェイスシート１０１がしっかりと密着して利用者の肌に美容液の成分が浸透する。また、密着することで、利用者が使用中に顔又はは身体を動かしたりしてもフェイスシート１０１が剥離して落下するといったことを防止できる。
【００３４】
尚、フェイスシート１０１には、予め所定の美容液を含浸させておくようにしてもよい。美容液の成分として、アミノ酸を豊富に含む酵母エキス、シャルドネエキス、ヨーグルトエキス、スクワランを配合したものなどが考えられる。このような保湿効果の高い成分が１枚のシートに含まれている。フェイスシート１０１は、含浸させた美容液が蒸発しないように、密封パック等の形で保管される。
【００３５】
ここで、本考案に係るイオン導入器の使用方法について簡単に説明する。イオン導入器１の使用方法は、美容有効成分を配合した化粧品を皮膚の所定の部位に予め塗布し、その上から含水させたフェイスシート１０１を覆ってイオンケア（導入）を行う方法と、美容有効成分を含浸させたフェイスシート１０１で皮膚の所定の部位を覆ってイオンケア（導入）を行う方法と、含水させたフェイスシート１０１で皮膚の所定の部位を覆って皮膚上の除去対象物を除去するイオンクレンジングを行う方法とがある。
【００３６】
美容有効成分を配合した化粧品を予め塗布するイオンケアの場合は、まず、通常のように洗顔した後、美容有効成分を配合した化粧品（化粧水、美容液）を顔全体に塗布する。美容有効成分として、ビタミンＣやビタミンＣ誘導体が適している。次に、水に浸したフェイスシート１０１を拡げて顔全体を覆うようにする。一方、美容有効成分を含浸させたフェイスシート１０１を用いてイオンケアを行う場合は、洗顔した後に化粧品を顔の皮膚に塗布せずにフェイスシート１０１で顔全体を覆うようにする。また、イオンクレンジングを行う場合は、洗顔した後に化粧品を塗布せずに、水に浸したフェイスシート１０１で顔全体を覆う。
【００３７】
上記のようにしてフェイスシート１０１で顔全体を覆った後、イオン導入器１のＯＮ／ＯＦＦボタン１０を押して、イオン導入器１の電源をＯＮにする。さらにもう一度ＯＮ／ＯＦＦボタン１０を押して、イオンケアの場合は２個のモード表示ＬＥＤ８，８のうちイオンケアを表示する一方のＬＥＤ８を点滅させ、イオンクレンジングの場合はモード表示ＬＥＤ８，８のうちイオンクレンジングを表示する他方のＬＥＤ８を点滅させる。イオンケアモードが選択されると、ローラ５が負に帯電し、イオンクレンジングモードが選択されると、ローラ５が正に帯電する。
【００３８】
皮膚にイオンを通電させるためイオン導入器１のアース電極６，６に指が触れた状態でイオン導入器１を持ち、ローラ５をフェイスシート１０１の上から顔の皮膚に当て、フェイスシート１０１の上からローラ５を回転させながらイオン導入器１を移動させる。ここで、イオンケアの場合は、負に帯電したローラ５と、負に帯電した美容有効成分とが反発し、美容有効成分が皮膚の深部に導入、浸透する。一方、イオンクレンジングの場合は、正に帯電したローラ５と、負に帯電した皮膚の上や毛穴の奥に蓄積している汚れ、埃といった除去対象物とが引き合うことで、汚れ等を皮膚の外に導出する。
【００３９】
いずれのモードで使用する場合でも、イオン導入器１の電源をＯＮにしてから所定時間（８分程度）後に、ブザー４ｃが鳴りイオン導入器１がスタンバイ状態になる。その後、所定時間（１分程度）後にイオン導入器１の電源が自動的にＯＦＦになる。
【図面の簡単な説明】
【００４０】
【図１】図１は、本考案に係るイオン導入器の外観図であり、（ａ）はその平面図、（ｂ）はその左側面図、（ｃ）はその右側面図、（ｄ）はその底面図、（ｅ）はその正面図、（ｆ）はその後面図である。
【図２】図２は、上記イオン導入器の上部カバーであり、（ａ）はその平面図、（ｂ）はその左側面図、（ｃ）はその右側面図、（ｄ）はその底面図、（ｅ）はその正面図、（ｆ）はその後面図である。
【図３】図３は、上記イオン導入器の下部カバーであり、（ａ）はその平面図、（ｂ）はその左側面図、（ｃ）はその右側面図、（ｄ）はその底面図、（ｅ）はその正面図、（ｆ）はその後面図である。
【図４】図４は、上記上部カバーに取付可能な電池カバーであり、（ａ）はその平面図、（ｂ）はその左側面図、（ｃ）はその右側面図、（ｄ）はその底面図、（ｅ）はその正面図、（ｆ）はその後面図である。
【図５】図５は、上記イオン導入器の分解斜視図である。
【図６】図６は、上記イオン導入器の分解斜視図である。
【図７】図７は、上記イオン導入器の分解斜視図である。
【図８】図８は、上記イオン導入器の分解斜視図である。
【図９】図９は、上記下部カバーの斜視図である。
【図１０】図１０は、上記イオン導入器の斜視図である。
【図１１】図１１は、上記イオン導入器の外観図であり、（ａ）はその平面図、（ｂ）はその左側面図、（ｃ）はその前面図、（ｄ）その後面図である。
【図１２】図１２は、上記イオン導入器の外観図であり、（ａ）はその底面図、（ｂ）は、図１１（ａ）のＡ−Ａ断面図である。
【図１３】図１３は、本考案に係るフェイスシートを表す図である。
【図１４】図１４は、上記イオン導入器に関するブロック図である。
【符号の説明】
【００４１】
１    イオン導入器
２    上部カバー（カバー部材）
３    下部カバー（カバー部材）
４    制御基板
５    ローラ（電極部）
６    アース電極
７    充電用コネクタ
８    ＬＥＤ（発光ダイオード）
９    操作パネル
１０    ＯＮ／ＯＦＦスイッチ
１１    レベルスイッチ
１２    電池収容部
１３    電池カバー
１４    アーム（支持部材）
５０    充電池
１０１    フェイスシート（シート材）
１０２，１０３，１０５    切込部
１０４    孔部
【図１】
0003134795.tif 000003
【図２】
0003134795.tif 000004
【図３】
0003134795.tif 000005
【図４】
0003134795.tif 000006
【図５】
0003134795.tif 000007
【図６】
0003134795.tif 000008
【図７】
0003134795.tif 000009
【図８】
0003134795.tif 000010
【図９】
0003134795.tif 000011
【図１０】
0003134795.tif 000012
【図１１】
0003134795.tif 000013
【図１２】
0003134795.tif 000014
【図１３】
0003134795.tif 000015
【図１４】
0003134795.tif 000016